(57)【要約】【課題】  デジタル放送サービスを提供するにあたり、システム管理効率を向上させること。【解決手段】  ヘッドエンド１００に含まれるデジタル放送サービスを提供するためのデータを提供する各サービス提供サーバーと、前記サービス提供サーバーと連結されたネットワークを通じて受信されるデータの状態をモニタリングし、データの受信に異常状態が発生すると、異常状態別固有情報が含まれるアラームメッセージを生成して前記サービス提供サーバーに伝送するデジタル放送受信装置であるセットトップボックス２００と、を含み、前記サービス提供サーバーは、前記デジタル放送受信装置から受信されるアラームメッセージに含まれた前記異常状態別固有情報に従う警告メッセージを生成して出力する構成とする。【選択図】  図2
2006054873.tif 000002
【特許請求の範囲】
【請求項１】
デジタル放送サービスを提供するためのデータを提供するサービス提供サーバーと、
前記サービス提供サーバーと連結されたネットワークを通じて受信されるデータの状態をモニタリングし、データの受信に異常状態が発生すると、異常状態別固有情報が含まれるアラームメッセージを生成して前記サービス提供サーバーに伝送するデジタル放送受信装置と、を含み、
前記サービス提供サーバーは、前記デジタル放送受信装置から受信されるアラームメッセージに含まれた前記異常状態別固有情報に従う警告メッセージを生成して出力すること
を特徴とするデジタル放送システム。
【請求項２】
前記サービス提供サーバーは、
前記デジタル放送システムが提供するプログラム情報及びイベント情報を含むサービスデータをデジタル放送受信装置に提供する第１のサーバーと、
ビデオデータ及びオーディオデータを含む放送データを暗号化し、圧縮してデジタル放送受信装置に提供する第２のサーバーと、
前記暗号化された放送データを復号できるキー情報及び加入者別プログラム視聴権限情報が含まれる制限データをデジタル放送受信装置に提供する第３のサーバーと、
前記デジタル受信装置から受信される前記アラームメッセージに含まれる前記異常状態別固有情報に従う警報メッセージを出力する第４のサーバーと、を含むこと
を特徴とする請求項１記載のデジタル放送システム。
【請求項３】
前記第４のサーバーは、前記アラームメッセージに含まれる前記異常状態別固有情報に従う警報信号を生成して、前記第１ないし第３のサーバーの中の該当サーバーに伝送すること
を特徴とする請求項２記載のデジタル放送システム。
【請求項４】
ＩＰネットワークを通じて受信されるＩＰパケット形態のデータを、ケーブルネットワークで伝送できるケーブルデータに変換すると共に、前記アラームメッセージを、前記第４のサーバーに伝送できるようにＩＰパケット形態に変換するケーブルモデム端末システム(ＣＭＴＳ)をさらに含むこと
を特徴とする請求項２記載のデジタル放送システム。
【請求項５】
前記デジタル放送受信装置は、
前記ケーブルモデム端末システムで変換されたデータを受信すると共に、生成される前記アラームメッセージを前記ケーブルモデム端末システムを通じて前記第４のサーバーに伝送するケーブルモデムと、
前記第１のサーバーから受信されるサービスデータを保存しながらサービスデータ受信報告信号を生成し、また、前記第３のサーバーから伝送されるＥＭＭ形態の制限データを受信した場合には、第１の制限データ受信報告信号を生成するサービス情報処理部と、
前記第２のサーバーから伝送される放送データを圧縮解除して放送信号に変換しながら放送データ受信報告信号を生成し、また、前記第３のサーバーから伝送されるＥＣＭ形態の制限データを受信した場合には、第２の制限データ受信報告信号を生成するデータ処理部と、
前記各受信報告信号の生成状態及び／又はネットワークを通じたデータ受信状態をモニタリングし、異常状態の発生を検知すると、その異常状態に従う異常状態別固有情報が含まれるアラームメッセージを生成して前記第４のサーバーに伝送する異常検知部と、を含むこと
を特徴とする請求項４記載のデジタル放送システム。
【請求項６】
前記データ処理部は、前記第３のサーバーから受信されるＥＣＭ形態の制限データを探知し、第２の制限データ受信報告信号を生成して前記異常検知部に伝送するスニファー部を含むこと
を特徴とする請求項５記載のデジタル放送システム。
【請求項７】
前記データ処理部は、前記第２のサーバーから受信される放送データをＭＰＥＧ方式に従って圧縮解除しながら放送データ受信報告信号を前記異常検知部に伝送すること
を特徴とする請求項５記載のデジタル放送システム。
【請求項８】
前記異常検知部は、前記デジタル放送システム内で発生する各異常状態に対応付けた異常状態種類別固有情報を設定する検知情報設定部と、
前記各受信報告信号の生成状態及び／又はネットワークを通じたデータ受信状態に従って異常状態の種類を把握し、前記異常状態に従う異常状態種類別固有情報が含まれるアラームメッセージを生成する検知部と、
前記検知部で生成されたアラームメッセージを前記ケーブルモデムを通じて前記管理サーバーに伝送するメッセージ伝送部と、を含むこと
を特徴とする請求項５記載のデジタル放送システム。
【請求項９】
前記検知部は、
前記第１ないし第３のサーバーから受信されるデータの受信パワーレベルが所定範囲内に含まれないか、又は受信品質(ＳＮＲ)値が所定値を超過すると、ネットワークアラームメッセージを生成するネットワーク検知部と、
前記サービス情報処理部から受信されるサービスデータ受信報告信号が所定の周期で受信されないときに、サービスデータアラームメッセージを生成するサービスデータ検知部と、
前記サービス情報処理部から受信される第１の制限データ受信報告信号又は、スニファー部から受信される第２の制限データ受信報告信号が所定の周期で受信されないときに、制限データアラームメッセージを生成する制限データ検知部と、
前記データ処理部から放送データ報告受信信号が所定時間内に所定回数受信されないときに、放送データアラームメッセージを生成する放送データ検知部と、の中の少なくとも一つの検知部を含むこと
を特徴とする請求項８記載のデジタル放送システム。
【請求項１０】
前記異常検知部は、前記ネットワーク検知部でネットワークアラームメッセージが生成されてから所定時間の間に前記各データアラームメッセージが生成されないように制御する検知制御部をさらに含むこと
を特徴とする請求項９記載のデジタル放送システム。
【請求項１１】
前記検知情報設定部は、前記管理サーバーのアドレス情報と、システム管理者の電話番号情報と、該当デジタル放送受信装置の固有情報と、アラームメッセージの伝送周期情報と、の中の少なくとも一つの情報を設定すること
を特徴とする請求項９記載のデジタル放送システム。
【請求項１２】
前記異常検知部は、デジタル放送受信装置の固有情報と、各異常状態の付加情報と、の中の少なくとも一つの情報が含まれるアラームメッセージを前記伝送周期情報に基づいて生成すること
を特徴とする請求項９記載のデジタル放送システム。
【請求項１３】
前記異常検知部は、前記生成されるアラームメッセージが前記管理サーバーに伝送されない場合に、前記設定された電話番号情報及び異常状態別固有情報に相当する障害情報が含まれるグラフィックデータを前記データ処理部に伝送すること
を特徴とする請求項１１記載のデジタル放送システム。
【請求項１４】
前記データ処理部は、前記異常検知部からグラフィックデータが受信される場合には、前記放送データに従う放送信号に前記グラフィックデータに従うグラフィック信号が追加されるように再書込みして、加入者がデジタルテレビを通じて前記電話番号情報及び前記障害情報を認知できるようにすること
を特徴とする請求項１３記載のデジタル放送システム。
【請求項１５】
サービス情報サーバーと、受信制限サーバーと、デジタル放送サーバーと、管理サーバーと、を含むデジタル放送システムにおいて、ネットワークを通じてデジタル放送サービスを受けるためのデジタル放送受信装置であって、
前記サービス情報サーバーから受信されるプログラム情報が含まれたサービスデータを受信したときに、サービスデータ受信報告信号を生成し、また、前記受信制限サーバーからＥＭＭ形態の制限データを受信したときに、ＥＭＭ制限データ受信報告信号を生成するサービス情報処理部と、
前記デジタル放送サーバーから放送データを受信したときに、放送データ受信報告信号を生成し、また、前記受信制限サーバーからＥＣＭ形態の制限データを受信したときに、ＥＣＭ制限データ受信報告信号を生成するデータ処理部と、
前記各受信報告信号の生成状態に従って各サーバーの異常状態又はネットワークの異常状態をモニタリングし、異常状態が発生したときには、異常状態別固有情報が含まれるアラームメッセージを生成して前記管理サーバーに伝送する異常検知部と、を含むこと
を特徴とするデジタル放送システムのデジタル放送受信装置。
【請求項１６】
前記データ処理部は、
前記デジタル放送サーバーから受信される放送データをＭＰＥＧ方式に従って圧縮解除しながら放送データ受信報告信号を生成するデコーダー部と、
前記受信制限サーバーからＥＣＭ形態で受信される制限データを探知し、ＥＣＭ制限データ受信報告信号を生成するスニファー部と、を含むこと
を特徴とする請求項１５記載のデジタル放送システムのデジタル放送受信装置。
【請求項１７】
前記異常検知部は、
前記ネットワークを通じて受信される各データの受信パワーレベルが所定の範囲内に含まれないか、又は受信品質（ＳＮＲ）値が所定値を超過するとき、ネットワークアラームメッセージを生成するネットワーク検知部と、
前記サービス情報処理部から生成されるサービスデータ受信報告信号が所定の周期で受信されないときに、サービスデータアラームメッセージを生成するサービスデータ検知部と、
前記デコーダー部から放送データ受信報告信号が所定時間の間に所定回数生成されないときに、放送データアラームメッセージを生成する放送データ検知部と、
前記サービス情報処理部から受信されるＥＭＭ制限データ受信報告信号又は、前記スニファー部から受信されるＥＣＭ制限データ受信報告信号が所定の周期で受信されないときに、制限データアラームメッセージを生成する制限データ検知部と、の中の少なくとも一つの検知部を含むこと
を特徴とする請求項１６記載のデジタル放送システムのデジタル放送受信装置。
【請求項１８】
前記ネットワーク検知部でネットワークアラームメッセージが生成されてから所定時間の間、前記各データ検知部の異常状態モニタリング機能を中断させるように制御する検知制御部と、
前記各アラームメッセージをネットワークを通じて前記管理サーバーに伝送するメッセージ伝送部と、をさらに含むこと
を特徴とする請求項１７記載のデジタル放送システムのデジタル放送受信装置。
【請求項１９】
加入者の要請に応じて、前記サービスデータのプログラム情報に従うグラフィックデータを提供する加入者アプリケーション部と、
前記加入者アプリケーション部から提供されるグラフィックデータに従う映像信号を前記放送データに従う放送信号に含まれるように再書込みするディスプレー操作部と、をさらに含むこと
を特徴とする請求項１５記載のデジタル放送システムのデジタル放送受信装置。
【請求項２０】
デジタル放送システムにおけるデータ受信状態を管理する方法であって、
異常状態別固有情報を含む検知情報を設定するステップと、
サービス提供サーバーから受信されるデータの受信状態をデジタル放送受信装置でモニタリングするステップと、
前記データの受信状態に異常が発生したときに、その異常状態の種類を把握し、前記検知情報に設定された異常状態別固有情報の中からその異常状態に対応する異常状態別固有情報が含まれるアラームメッセージを生成してサービス提供サーバーに伝送するステップと、
前記サービス提供サーバーが前記アラームメッセージを受信した前記サービス提供サーバーが警報メッセージをシステム管理者が認知できるように出力するステップと、を含むこと
を特徴とするデジタル放送システムのデータ受信状態管理方法。
【請求項２１】
前記検知情報は、前記アラームメッセージを送信する管理サーバーのアドレス情報と、システム管理者の電話番号情報と、前記デジタル放送受信装置が設置される該当地域の固有情報と、アラームメッセージの伝送周期情報と、の中の少なくとも一つの情報を含むこと
を特徴とする請求項２０記載のデジタル放送システムのデータ受信状態管理方法。
【請求項２２】
前記サービス提供サーバーから受信されるデータの受信状態をモニタリングするステップは、
ネットワークを通じて受信される各データの受信パワーレベルが所定の範囲内に含まれないか、又は受信品質（ＳＮＲ）値が所定値を超過するか否かを判断するステップと、
前記ネットワークを通じて受信される放送データが所定期間の間に所定のフレームが受信されているか否かを判断するステップと、
プログラム情報が含まれるサービスデータが所定の周期で受信されているか否かを判断するステップと、
暗号化されて伝送されるデータを復号するためのキー情報及び加入者のプログラム別視聴権限情報が含まれる制限データが所定の周期で受信されているか否かを判断するステップと、の中の少なくとも一つのステップを含むこと
を特徴とする請求項２０記載のデジタル放送システムのデータ受信状態管理方法。
【請求項２３】
前記データの受信状態が発生したときに、前記アラームメッセージを生成してサービス提供サーバーに伝送するステップは、
前記データの受信パワーレベルが所定の範囲内に含まれないか、又は受信品質（ＳＮＲ）値が所定値を超過するときに、ネットワークアラームメッセージを生成するステップと、
前記放送データが所定期間の間に所定のフレームが受信されないときに、放送データアラームメッセージを生成するステップと、
前記サービスデータが所定の周期で受信されないときに、サービスデータアラームメッセージを生成するステップと、
前記制限データが所定の周期で受信されないときに、制限データアラームメッセージを生成するステップと、の中の少なくとも一つのステップを含むこと
を特徴とする請求項２０記載のデジタル放送システムのデータ受信状態管理方法。
【請求項２４】
前記データの受信状態に異常が発生したときに、前記アラームメッセージを生成してサービス提供サーバーに伝送するステップは、
前記ネットワークアラームメッセージが生成されてから所定時間の間、前記各データアラームメッセージが生成されないようにモニタリングを中断するステップをさらに含むこと
を特徴とする請求項２３記載のデジタル放送システムのデータ受信状態管理方法。
【請求項２５】
前記アラームメッセージが前記管理サーバーに伝送されるか否かを判断し、伝送されない場合には、前記設定された電話番号情報及び前記異常状態別固有情報に相当する障害情報が含まれるグラフィックデータを生成するステップと、
前記サービス提供サーバーから受信される放送データに従う放送信号に、前記グラフィックデータに従う映像信号が追加されるように再書込みするステップと、をさらに含むこと
を特徴とする請求項２１記載のデジタル放送システムのデータ受信状態管理方法。
【請求項２６】
サービスデータに含まれたプログラム情報を保存すると共に、加入者の要請に応じて前記プログラム情報をデジタルテレビに表示するステップと、
前記加入者が該当プログラム情報に関する視聴権限を有しているか否かを確認し、視聴権限を有していれば制限データに含まれたキー情報に従って暗号化された放送データを復号するステップと、
前記復号された放送データをＭＰＥＧ方式に従って圧縮解除し、圧縮解除された放送信号をデジタルテレビに伝送するステップと、をさらに含むこと
を特徴とする請求項２０記載のデジタル放送システムのデータ受信状態管理方法。
【請求項２７】
管理サーバーを含むデジタル放送システムにおいて、ネットワークを通じてデジタル放送サービスを受けるデジタル放送受信装置でデータ受信状態を管理する方法であって、
異常状態別固有情報、前記管理サーバーの固有情報及びシステム管理者の電話番号情報が含まれる検知情報を設定するステップと、
ネットワークを通じて受信されるデータの受信状態に異常が発生したときに、その異常状態の種類に従う異常状態別固有情報が含まれるネットワークアラームメッセージを生成するステップと、
前記ネットワークを通じて受信されるデータの受信報告信号を生成するステップと、
前記生成される受信報告信号に対しデータ受信異常状態に従う異常状態別固有情報が含まれるデータアラームメッセージを生成するステップと、
前記生成された各アラームメッセージを前記管理サーバーの固有情報に従って伝送するステップと、
前記アラームメッセージが前記管理サーバーに伝送されない場合に、前記電話番号情報及び異常状態別固有情報に相当する障害情報をデジタルテレビに表示するステップと、を含むこと
を特徴とするデジタル放送システムのデジタル受信装置においてデータ受信状態を管理する方法。
【請求項２８】
前記受信報告信号の生成するステップは、
当該デジタル放送システムが備えたデジタル放送サーバーから受信される放送データを圧縮解除しながら放送データ受信報告信号を生成するステップと、
当該デジタル放送システムが備えたサービス情報サーバーから受信されるサービスデータを保存しながらサービスデータ受信報告信号を生成するステップと、
当該デジタル放送システムが備えた受信制限サーバーからＥＭＭ形態又はＥＣＭ形態で受信される制限データについての制限データ受信報告信号を生成するステップと、の中の少なくとも一つのステップを含むこと
を特徴とする請求項２７記載のデジタル放送システムのデジタル受信装置においてデータ受信状態を管理する方法。
【請求項２９】
前記データアラームメッセージを生成するステップは、
前記放送データ受信報告信号が所定期間の間に所定回数生成されないときに、放送データアラームメッセージを生成するステップと、
前記サービスデータ受信報告信号が所定の周期で生成されないときに、サービスデータアラームメッセージを生成するステップと、
前記制限データ受信報告信号が所定の周期で生成されないときに、制限データアラームメッセージを生成するステップと、の中の少なくとも一つのステップを含むこと
を特徴とする請求項２７記載のデジタル放送システムのデジタル受信装置においてデータ受信状態を管理する方法。
【請求項３０】
前記ネットワークアラームメッセージが生成されてから所定時間の間、前記各データアラームメッセージが生成されないように制御するステップをさらに含むこと
を特徴とする請求項２９記載のデジタル放送システムのデジタル受信装置においてデータ受信状態を管理する方法。
【発明の詳細な説明】
【技術分野】
【０００１】
本発明は、デジタル放送システム、デジタル放送受信装置及びデータ受信状態管理方法に関し、より詳しくは、デジタル放送システムのセットトップボックスがケーブル網、放送チャンネル及び受信されるデータの状態をモニタリングし、データ受信異常状態が発生すれば、その異常状態に従うアラームメッセージをヘッドエンドに伝送するデジタル放送システム、デジタル放送受信装置及びデータ受信状態管理方法に関する。
【背景技術】
【０００２】
デジタル放送システムには、放送データの伝送媒体によってデジタル地上放送とデジタル衛星放送及びケーブルデジタル放送などがある。
【０００３】
このようなデジタル放送サービスは、各チャンネル別のプログラム情報をＭＰＥＧ(Moving Picture Experts Group)符号化規格に従って圧縮し、各伝送媒体別のデジタル変調方式に従って多数のチャンネルに対応するプログラムを多重化して伝送する。したがって、デジタル放送データは、アナログ放送信号のように多数の中継装置を使用しなくとも数十〜数百チャンネルのプログラム情報を伝送することができる。
【０００４】
一般に、ケーブルデジタル放送サービスを向上させるためのデジタル放送システムは、放送に関連するデジタル放送データを伝送しながら加入者からアップロードされるデータを処理するヘッドエンド(Head End)と、このヘッドエンドから伝送されるデジタル放送データを元の放送信号に修復してデジタルＴＶに提供するデジタル放送受信器であるセットトップボックス(Set-top Box)と、を含む。
【０００５】
ヘッドエンドは、デジタル放送システムにおいてプログラム情報を受信、生成、再送信するための技術設備を備えたメインコントロールセンターを意味する。そして、セットトップボックスは、注文型ビデオサービス(Video On Demand)のように双方向マルチメディア通信サービスを加入者に提供するための家庭用通信端末を意味する。
【０００６】
そして、ケーブルデジタル放送システムでは、オーディオ及びビデオデータの圧縮技術にＭＰＥＧ−２方式を採用している。また、信号変調は、デジタル方式の一種であるＱＡＭ(Quadrature Amplitude modulation)方式に従って振幅と位相を変調している。
【０００７】
デジタル放送システムにおいて、デジタル放送受信装置であるセットトップボックスは、ヘッドエンドから伝送されるデジタル化された放送データ、管理データ及び制御データを解読してデジタルテレビ（以下、「デジタルＴＶ」と称す）に提供する。
【０００８】
即ち、セットトップボックスは、ヘッドエンドに含まれるデジタル放送サーバー(Audio/Video Server)、放送チャンネル情報を送信するサービス情報サーバー(Service Information Server)、及び加入者情報及び暗号化された放送データを復号するためのキー情報を提供する受信制限サーバー(Conditional Access Server)から伝送される各データを受信及び管理する。そして、セットトップボックスは、加入者の要請に応じて放送データを放送信号に変換し、変換した放送信号をデジタルＴＶに供給する。
【０００９】
図１は、一般的なデジタル放送システムのネットワーク構成を説明するための全体ブロック図である。
【００１０】
図１を参照すると、デジタル放送システムは、ヘッドエンド１０と、ケーブルモデム端末システムであるＣＭＴＳ(Cable Modem Termination System)３０と、デジタル放送受信装置であるセットップボックス２０と、デジタルＴＶ４０と、を含む。さらに、ヘッドエンド１０は、サービス情報サーバー１１と、受信制限サーバー１２と、デジタル放送サーバー１３と、を含む。
【００１１】
また、セットップボックス２０は、ケーブルモデム２１と、データ処理部２２と、受信制限処理部２３と、を含む。
【００１２】
ヘッドエンド１０のサービス情報サーバー１１は、デジタル放送サービスを提供するためのサービスデータ(Service Information)を提供する。
【００１３】
このような サービス情報サーバー１１から提供されるサービスデータは、デジタル放送サーバー１３から提供されるプログラム識別子(ＰＩＤ：Program IDentifier)のようなプログラム情報及びイベント情報を含むことができる。
【００１４】
また、サービス情報サーバー１１は、サービスデータをＩＰネットワークによりＣＭＴＳ３０に伝送する。
【００１５】
デジタル放送サーバー１３は、ヘッドエンド１０で受信又は生成したプログラムのビデオデータ及びオーディオデータが含まれた放送データを提供する。
【００１６】
このとき、デジタル放送サーバー１３は、放送データをＭＰＥＧコード化方式に従って圧縮し、さらに、悪意的に放送データが使用される（読み出される）ことを防止するために、放送データを暗号化処理して伝送する。
【００１７】
そして、デジタル放送サーバー１３は、放送データをケーブル網の放送チャンネルを通じてセットトップボックス２０に伝送する。
【００１８】
受信制限サーバー１２は、暗号化された放送データを復号することができるキー情報、各加入者のプログラム別視聴権限情報、各加入者別購入履歴情報などの種々の情報を管理する。これと共に、受信制限サーバー１２は、キー情報及び視聴権限情報が含まれた制限データを各セットトップボックス２０に提供する。
【００１９】
このとき、受信制限サーバー１２は、ＥＭＭ(Entitle Management Message)形態の制限データをＣＭＴＳ３０を通じてセットトップボックス２０に伝送するか、又はＥＣＭ(Entitle Control Message)形態の制限データをセットトップボックス２０に伝送することができる。
【００２０】
ＣＭＴＳ３０は、サービス情報サーバー１１及び受信制限サーバー１２からＩＰネットワークを通じて受信されるＩＰパケット形態のデータを、セットトップボックス２０に伝送可能にするために、ケーブルデータに変換する。
【００２１】
そして、セットトップボックス２０は、加入者のチャンネル選択に応じて、該当放送チャンネルを通じて受信される放送データを放送信号に変換し、変換した放送信号をデジタルＴＶ４０に伝送する。
【００２２】
より詳しくは、セットトップボックス２０のケーブルモデム２１は、ＣＭＴＳ３０からケーブルデータに変換されたサービスデータを受信して受信制限処理部２３に伝送すると共に、ヘッドエンド１０から受信される放送データをデータ処理部２２に伝送する。
【００２３】
受信制限処理部２３は、受信制限サーバー１２から提供される制限データに含まれるキー情報及び加入者のプログラム別視聴権限情報を管理する。そして、加入者がチャンネルを選択した場合に、この加入者が該当チャンネルの視聴権限を有しているか否かをプログラム別視聴権限情報に従って確認し、視聴権限を有していれば、暗号化された放送データをキー情報に従って復号する。
【００２４】
さらに、データ処理部２２は、ＭＰＥＧ方式（即ち、ＭＰＥＧコード化方式）に従って圧縮された放送データを圧縮解除し、圧縮解除された放送データを放送信号に変換する。そして、データ処理部２２は、デジタル放送サービスを加入者に提供するために、前記放送信号をデジタルＴＶ４０に伝送する。
【００２５】
以下、かかるデジタル放送システムのデジタル放送サービスを提供する方法について簡単に説明する。
【００２６】
サービス情報サーバー１１は、プログラム情報及びイベント情報が含まれるサービスデータをＣＭＴＳ３０を通じてセットトップボックス２０に伝送する。また、受信制限サーバー１２は、キー情報及び加入者の視聴権限情報をセットトップボックス２０に伝送する。
【００２７】
そして、デジタル放送サーバー１３は、オーディオデータ及びビデオデータが含まれる放送データをセットトップボックス２０に伝送する。
【００２８】
セットトップボックス２０は、加入者がプログラム情報を選択すると、該当プログラム情報のチャンネル情報を取得し、該当加入者が該当プログラム情報を視聴する権限を有しているか否かをプログラム別視聴権限情報に従って確認する。
【００２９】
そして、セットトップボックス２０は、該当加入者が該当プログラム情報を視聴する権限を有していることを確認すると、取得したチャンネル情報に従う放送データを受信することのできる周波数情報を把握して、該当周波数情報に従って該当チャンネルの放送データを受信する。
【００３０】
続いて、セットトップボックス２０は、受信した放送データを前記キー情報を用いて復号し、さらにＭＰＥＧ方式に従って圧縮解除し、圧縮解除された放送データを放送信号に変換する。
【００３１】
そして、セットトップボックス２０は、変換された前記放送信号をデジタルＴＶ４０に伝送する。これにより、加入者はデジタルＴＶを通じてデジタル放送サービスを受けることができる。
【００３２】
しかしながら、従来のデジタル放送システムにおいて、デジタル放送受信装置であるセットトップボックス２０は、デジタル放送サーバー１３から提供される放送データを放送信号に変換処理してデジタルＴＶ４０に伝送する受動的な方式を取っている。
【００３３】
したがって、デジタル放送システムのヘッドエンド１０の各サーバー１１、１２、１３に異常(error)が発生するか、ケーブル網又は放送チャンネルに異常が発生した場合、セットトップボックス２０は、放送データ、サービスデータ及び制限データの中のいずれかのデータを受信できなくなり、そのため加入者にデジタル放送サービスを提供できなくなるが、受動的な方式のセットトップボックス２０では、システムで異常が発生したことを把握することができず、さらに効果的な対応を取るのが難しいという問題があった。
【発明の開示】
【発明が解決しようとする課題】
【００３４】
本発明は上述したような従来技術の問題点を解決するためになされたものであり、その目的は、システム管理効率を向上させることのできるデジタル放送システム、デジタル放送受信装置及びのデータ受信状態管理方法及び装置を提供することにある。より具体的には、デジタル放送システムのセットトップボックスがヘッドエンドから伝送されるデータ、ケーブル網又は放送チャンネルの状態をモニタリングしながら異常が検知される場合には、異常状態の種類によるアラームメッセージをヘッドエンドに伝送し、ヘッドエンドにアラームメッセージが受信される場合には、異常状態を点検するようにして、ヘッドエンドの各サーバー及びケーブル網管理効率を向上させることのできるデジタル放送システム、デジタル放送受信装置及びデータ受信状態管理方法を提供することにある。
【課題を解決するための手段】
【００３５】
前記目的を達成するための本発明の一側面によるデジタル放送システムは、デジタル放送サービスを提供するためのデータを提供するサービス提供サーバーと、前記サービス提供サーバーと連結されたネットワークを通じて受信されるデータの状態をモニタリングし、データの受信に異常状態が発生すると、異常状態別固有情報が含まれるアラームメッセージを生成して前記サービス提供サーバーに伝送するデジタル放送受信装置と、を含み、前記サービス提供サーバーは、前記デジタル放送受信装置から受信されるアラームメッセージに含まれた前記異常状態別固有情報に従う警告メッセージを生成して出力することを特徴とする
【００３６】
前記サービス提供サーバーは、前記デジタル放送システムが提供するプログラム情報及びイベント情報を含むサービスデータをデジタル放送受信装置に提供する第１のサーバーと、ビデオデータ及びオーディオデータを含む放送データを暗号化し、圧縮してデジタル放送受信装置に提供する第２のサーバーと、前記暗号化された放送データを復号できるキー情報及び加入者別プログラム視聴権限情報が含まれる制限データをデジタル放送受信装置に提供する第３のサーバーと、前記デジタル受信装置から受信される前記アラームメッセージに含まれる前記異常状態別固有情報に従う警報メッセージを出力する第４のサーバーと、を含むことができる。
【００３７】
また、本発明によるデジタル放送システムは、ＩＰネットワークを通じて受信されるＩＰパケット形態のデータを、ケーブルネットワークで伝送できるケーブルデータに変換すると共に、前記アラームメッセージを、前記第４のサーバーに伝送できるようにＩＰパケット形態に変換するケーブルモデム端末システム(ＣＭＴＳ)をさらに含むことができる。
【００３８】
さらに、前記デジタル放送受信装置は、前記ケーブルモデム端末システムで変換されたデータを受信すると共に、生成される前記アラームメッセージを前記ケーブルモデム端末システムを通じて前記第４のサーバーに伝送するケーブルモデムと、前記第１のサーバーから受信されるサービスデータを保存しながらサービスデータ受信報告信号を生成し、また、前記第３のサーバーから伝送されるＥＭＭ形態の制限データを受信した場合には、第１の制限データ受信報告信号を生成するサービス情報処理部と、前記第２のサーバーから伝送される放送データを圧縮解除して放送信号に変換しながら放送データ受信報告信号を生成し、また、前記第３のサーバーから伝送されるＥＣＭ形態の制限データを受信した場合には、第２の制限データ受信報告信号を生成するデータ処理部と、前記各受信報告信号の生成状態及び／又はネットワークを通じたデータ受信状態をモニタリングし、異常状態の発生を検知すると、その異常状態に従う異常状態別固有情報が含まれるアラームメッセージを生成して前記第４のサーバーに伝送する異常検知部と、を含むことができる。
【００３９】
前記データ処理部は、前記第３のサーバーから受信されるＥＣＭ形態の制限データを探知し、第２の制限データ受信報告信号を生成して前記異常検知部に伝送するスニファー部を含むことができる。前記データ処理部は、前記第２のサーバーから受信される放送データをＭＰＥＧ方式に従って圧縮解除しながら放送データ受信報告信号を前記異常検知部に伝送することができる。
【００４０】
前記異常検知部は、前記デジタル放送システム内で発生する各異常状態に対応付けた異常状態種類別固有情報を設定する検知情報設定部と、前記各受信報告信号の生成状態及び／又はネットワークを通じたデータ受信状態に従って異常状態の種類を把握し、前記異常状態に従う異常状態種類別固有情報が含まれるアラームメッセージを生成する検知部と、前記検知部で生成されたアラームメッセージを前記ケーブルモデムを通じて前記管理サーバーに伝送するメッセージ伝送部と、を含むことができる。
【００４１】
前記検知部は、前記第１ないし第３のサーバーから受信されるデータの受信パワーレベルが所定範囲内に含まれないか、又は受信品質(ＳＮＲ)値が所定値を超過すると、ネットワークアラームメッセージを生成するネットワーク検知部と、前記サービス情報処理部から受信されるサービスデータ受信報告信号が所定の周期で受信されないときに、サービスデータアラームメッセージを生成するサービスデータ検知部と、前記サービス情報処理部から受信される第１の制限データ受信報告信号又は、スニファー部から受信される第２の制限データ受信報告信号が所定の周期で受信されないときに、制限データアラームメッセージを生成する制限データ検知部と、前記データ処理部から放送データ報告受信信号が所定時間内に所定回数受信されないときに、放送データアラームメッセージを生成する放送データ検知部と、の中の少なくとも一つの検知部を含むことができる。
【００４２】
前記異常検知部は、前記ネットワーク検知部でネットワークアラームメッセージが生成されてから所定時間の間に前記各データアラームメッセージが生成されないように制御する検知制御部をさらに含むことができる。
【００４３】
また、本発明のデジタル放送受信装置は、サービス情報サーバーと、受信制限サーバーと、デジタル放送サーバーと、管理サーバーと、を含むデジタル放送システムにおいて、ネットワークを通じてデジタル放送サービスを受けるためのデジタル放送受信装置であって、前記サービス情報サーバーから受信されるプログラム情報が含まれたサービスデータを受信したときに、サービスデータ受信報告信号を生成し、また、前記受信制限サーバーからＥＭＭ形態の制限データを受信したときに、ＥＭＭ制限データ受信報告信号を生成するサービス情報処理部と、前記デジタル放送サーバーから放送データを受信したときに、放送データ受信報告信号を生成し、また、前記受信制限サーバーからＥＣＭ形態の制限データを受信したときに、ＥＣＭ制限データ受信報告信号を生成するデータ処理部と、前記各受信報告信号の生成状態に従って各サーバーの異常状態又はネットワークの異常状態をモニタリングし、異常状態が発生したときには、異常状態別固有情報が含まれるアラームメッセージを生成して前記管理サーバーに伝送する異常検知部と、を含むことを特徴とする。
【００４４】
前記データ処理部は、前記デジタル放送サーバーから受信される放送データをＭＰＥＧ方式に従って圧縮解除しながら放送データ受信報告信号を生成するデコーダー部と、前記受信制限サーバーからＥＣＭ形態で受信される制限データを探知し、ＥＣＭ制限データ受信報告信号を生成するスニファー部と、を含むことができる。
【００４５】
前記異常検知部は、前記ネットワークを通じて受信される各データの受信パワーレベルが所定の範囲内に含まれないか、又は受信品質（ＳＮＲ）値が所定値を超過するとき、ネットワークアラームメッセージを生成するネットワーク検知部と、前記サービス情報処理部から生成されるサービスデータ受信報告信号が所定の周期で受信されないときに、サービスデータアラームメッセージを生成するサービスデータ検知部と、前記デコーダー部から放送データ受信報告信号が所定時間の間に所定回数生成されないときに、放送データアラームメッセージを生成する放送データ検知部と、前記サービス情報処理部から受信されるＥＭＭ制限データ受信報告信号又は、前記スニファー部から受信されるＥＣＭ制限データ受信報告信号が所定の周期で受信されないときに、制限データアラームメッセージを生成する制限データ検知部と、の中の少なくとも一つの検知部を含むことができる。
【００４６】
前記ネットワーク検知部でネットワークアラームメッセージが生成されてから所定時間の間、前記各データ検知部の異常状態モニタリング機能を中断させるように制御する検知制御部と、前記各アラームメッセージをネットワークを通じて前記管理サーバーに伝送するメッセージ伝送部と、加入者の要請に応じて、前記サービスデータのプログラム情報に従うグラフィックデータを提供する加入者アプリケーション部と、前記加入者アプリケーション部から提供されるグラフィックデータに従う映像信号を前記放送データに従う放送信号に含まれるように再書込みするディスプレー操作部と、をさらに含むことができる。
【００４７】
また本発明のデジタル放送システムにおけるデータ受信状態を管理する方法は、異常状態別固有情報を含む検知情報を設定するステップと、サービス提供サーバーから受信されるデータの受信状態をデジタル放送受信装置でモニタリングするステップと、前記データの受信状態に異常が発生したときに、その異常状態の種類を把握し、前記検知情報に設定された異常状態別固有情報の中からその異常状態に対応する異常状態別固有情報が含まれるアラームメッセージを生成してサービス提供サーバーに伝送するステップと、前記サービス提供サーバーが前記アラームメッセージを受信した前記サービス提供サーバーが警報メッセージをシステム管理者が認知できるように出力するステップと、を含むことを特徴とする。
【００４８】
前記サービス提供サーバーから受信されるデータの受信状態をモニタリングするステップは、ネットワークを通じて受信される各データの受信パワーレベルが所定の範囲内に含まれないか、又は受信品質（ＳＮＲ）値が所定値を超過するか否かを判断するステップと、前記ネットワークを通じて受信される放送データが所定期間の間に所定のフレームが受信されているか否かを判断するステップと、プログラム情報が含まれるサービスデータが所定の周期で受信されているか否かを判断するステップと、暗号化されて伝送されるデータを復号するためのキー情報及び加入者のプログラム別視聴権限情報が含まれる制限データが所定の周期で受信されているか否かを判断するステップと、の中の少なくとも一つのステップを含むことができる。
【００４９】
前記データの受信状態が発生したときに、前記アラームメッセージを生成してサービス提供サーバーに伝送するステップは、前記データの受信パワーレベルが所定の範囲内に含まれないか、又は受信品質（ＳＮＲ）値が所定値を超過するときに、ネットワークアラームメッセージを生成するステップと、前記放送データが所定期間の間に所定のフレームが受信されないときに、放送データアラームメッセージを生成するステップと、前記サービスデータが所定の周期で受信されないときに、サービスデータアラームメッセージを生成するステップと、前記制限データが所定の周期で受信されないときに、制限データアラームメッセージを生成するステップと、の中の少なくとも一つのステップを含むことができる。
【００５０】
前記データの受信状態に異常が発生したときに、前記アラームメッセージを生成してサービス提供サーバーに伝送するステップは、前記ネットワークアラームメッセージが生成されてから所定時間の間、前記各データアラームメッセージが生成されないようにモニタリングを中断するステップをさらに含むことができる。また、前記アラームメッセージが前記管理サーバーに伝送されるか否かを判断し、伝送されない場合には、前記設定された電話番号情報及び前記異常状態別固有情報に相当する障害情報が含まれるグラフィックデータを生成するステップと、前記サービス提供サーバーから受信される放送データに従う放送信号に、前記グラフィックデータに従う映像信号が追加されるように再書込みするステップと、をさらに含むことができる。さらに、サービスデータに含まれたプログラム情報を保存すると共に、加入者の要請に応じて前記プログラム情報をデジタルテレビに表示するステップと、前記加入者が該当プログラム情報に関する視聴権限を有しているか否かを確認し、視聴権限を有していれば制限データに含まれたキー情報に従って暗号化された放送データを復号するステップと、前記復号された放送データをＭＰＥＧ方式に従って圧縮解除し、圧縮解除された放送信号をデジタルテレビに伝送するステップと、をさらに含むことができる。
【００５１】
また本発明の管理サーバーを含むデジタル放送システムにおいて、ネットワークを通じてデジタル放送サービスを受けるデジタル放送受信装置でデータ受信状態を管理する方法は、異常状態別固有情報、前記管理サーバーの固有情報及びシステム管理者の電話番号情報が含まれる検知情報を設定するステップと、ネットワークを通じて受信されるデータの受信状態に異常が発生したときに、その異常状態の種類に従う異常状態別固有情報が含まれるネットワークアラームメッセージを生成するステップと、前記ネットワークを通じて受信されるデータの受信報告信号を生成するステップと、前記生成される受信報告信号に対しデータ受信異常状態に従う異常状態別固有情報が含まれるデータアラームメッセージを生成するステップと、前記生成された各アラームメッセージを前記管理サーバーの固有情報に従って伝送するステップと、前記アラームメッセージが前記管理サーバーに伝送されない場合に、前記電話番号情報及び異常状態別固有情報に相当する障害情報をデジタルテレビに表示するステップと、を含むことを特徴とする。
【００５２】
前記受信報告信号の生成するステップは、当該デジタル放送システムが備えたデジタル放送サーバーから受信される放送データを圧縮解除しながら放送データ受信報告信号を生成するステップと、当該デジタル放送システムが備えたサービス情報サーバーから受信されるサービスデータを保存しながらサービスデータ受信報告信号を生成するステップと、当該デジタル放送システムが備えた受信制限サーバーからＥＭＭ形態又はＥＣＭ形態で受信される制限データについての制限データ受信報告信号を生成するステップと、の中の少なくとも一つのステップを含むことができる。
【００５３】
前記データアラームメッセージを生成するステップは、前記放送データ受信報告信号が所定期間の間に所定回数生成されないときに、放送データアラームメッセージを生成するステップと、前記サービスデータ受信報告信号が所定の周期で生成されないときに、サービスデータアラームメッセージを生成するステップと、前記制限データ受信報告信号が所定の周期で生成されないときに、制限データアラームメッセージを生成するステップと、の中の少なくとも一つのステップを含むことができる。
【００５４】
前記ネットワークアラームメッセージが生成されてから所定時間の間、前記各データアラームメッセージが生成されないように制御するステップをさらに含むことができる。
【発明の効果】
【００５５】
本発明によれば、デジタル放送システムのデジタル放送受信装置に、例えばケーブル網、放送チャンネル及び受信されるデータのモニタリング機能を持たせて、発生するデータ受信異常状態によるアラームメッセージをサービス提供サーバーに伝送することにより、デジタル放送システムの網及びサービス提供サーバーの状態を効率的に管理することができる。
【発明を実施するための最良の形態】
【００５６】
以下、本発明の実施形態によるデジタル放送システム、デジタル放送受信装置及びデータ受信状態管理方法について、添付した図面を参照して詳細に説明する。
【００５７】
図２は、本発明の好ましい実施形態によるデジタル放送システムを説明するための全体ブロック図である。
【００５８】
図２を参照すると、本発明の実施形態によるデジタル放送システムは、ヘッドエンド１００と、デジタル放送受信装置としてのセットトップボックス２００と、を備えている。ヘッドエンド１００は、サービス提供サーバーとして、管理サーバー１１０と、サービス情報サーバー１２０と、受信制限サーバー１３０と、デジタル放送サーバー（デジタルオーディオ／ビデオサーバーの場合も含む）１４０と、を含む。セットトップボックス２００は、ケーブルモデム２１０と、データ処理部２４０と、受信制限処理部２５０と、サービス情報処理部２３０と、異常検知部２２０と、を含んでいる。
【００５９】
サービス情報サーバー１２０は、ヘッドエンド１００から提供するデジタル放送サービスのプログラム情報（プログラム識別子(ＰＩＤ)の場合も含む）及びイベント情報が含まれたサービス情報のサービスデータをＣＭＴＳ３００を通じてセットトップボックス２００に伝送する。受信制限サーバー１３０は、暗号化された放送データを復号することができるキー情報と、加入者のプログラム別視聴権限情報とが含まれる制限データをＥＭＭ形態又はＥＣＭ形態でセットトップボックス２００に伝送する。
【００６０】
そして、デジタル放送サーバー１４０は、ビデオデータ及びオーディオデータが含まれた放送データをその周波数に対応する放送チャンネルを通じてセットトップボックス２００に伝送する。
【００６１】
このとき、デジタル放送サーバー１４０は、放送データが悪意的に読み出されるのを防止するために暗号化し、ビデオデータ及びオーディオデータをＭＰＥＧ方式に従って圧縮して伝送することができる。
【００６２】
管理サーバー１１０は、詳しくは後述するが、異常状態を検知したセットトップボックス２００から伝送されるアラームメッセージを受信した場合に、ユーザインターフェース（図示せず）を通じて管理者（システム管理者）に異常状態が発生したことを認知させるために、警報信号を出力するか、前記アラームメッセージに含まれる異常状態の種類情報（つまり、どの様な異常が発生したかの情報；以下、「異常状態別固有情報」と称す）に従ってサービス情報サーバー１２０、受信制限サーバー１３０又はデジタル放送サーバー１４０に警告信号を伝送する。前記警告信号を受信した該当サーバー１２０、１３０、１４０は、汎用的に装備している自機診断機能を通じて、発生した異常状態（エラー）を解決できるようにする。
【００６３】
より詳しくは、管理サーバー１１０は、アラームメッセージを受信したときに、アラームメッセージに含まれる異常状態別固有情報をポップアップウインドウのような方式でディスプレー手段（図示せず）に表示するか、又は警告音声メッセージを出力して、システム管理者がデータ受信に異常状態が発生したことを認知できるようにする。
【００６４】
ＣＭＴＳ３００は、ＩＰパケット形態で受信されるサービスデータ及び制限データをケーブルデータに変換してセットトップボックス２００に伝送する。その一方で、ＣＭＴＳ３００は、セットトップボックス２００から伝送されるアラームメッセージをＩＰパケット形態に変換して管理サーバー１１０に伝送する。
【００６５】
セットトップボックス２００は、サービス情報サーバー１２０から伝送されるサービスデータ及び、受信制限サーバー１３０から伝送される制限データを用いて、デジタル放送サーバー１４０から伝送される放送データを放送信号に変換処理してデジタルＴＶ４００に伝送する。
【００６６】
さらに、セットトップボックス２００は、ケーブル網または放送チャンネルの異常状態及び、各サーバー１２０、１３０、１４０から伝送される各データの受信状態をモニタリングする。そして、セットトップボックス２００は、データ受信状態の異常を検知した場合には、その異常状態の種類に従う異常状態別固有情報を含むアラームメッセージを生成して管理サーバー１１０に伝送する。
【００６７】
このようなセットトップボックス２００のケーブルモデム２１０は、ＣＭＴＳ３００からケーブル網を通じて受信される制限データ及びサービスデータをサービス情報処理部２３０に伝送する。
【００６８】
サービス情報処理部２３０は、受信したサービスデータ及び制限データに含まれるプログラム情報、キー情報及び該当加入者のプログラム別視聴権限情報を保存する。より詳しくは、サービス情報処理部２３０は、サービスデータを受信したときには、サービスデータの受信報告信号を異常検知部２２０に伝送し、ＥＭＭ形態の制限データを受信したときには、ＥＭＭ制限データの受信報告信号を異常検知部２２０に伝送する。
【００６９】
一方、受信制限処理部２５０は、受信制限サーバー１３０から伝送される制限データに含まれるキー情報及び、該当加入者のプログラム視聴権限情報に従って、データ処理部２４０によってデジタル放送サーバー１４０から伝送される放送データを放送信号に変換処理する。
【００７０】
即ち、受信制限処理部２５０は、加入者が任意のプログラム情報を選択すれば、該当加入者が該当プログラムについて視聴権限を有しているか否かをプログラム視聴権限情報に従って確認（判定）し、視聴権限を有していることを確認した場合には、データ処理部２４０によって受信制限サーバー１３０から伝送されたキー情報によって暗号化された放送データを復号し、ＭＰＥＧ方式に従って復号された圧縮データを圧縮解除（解凍）する。
【００７１】
前記したように、データ処理部２４０は、受信される放送データをＭＰＥＧ方式に従って圧縮解除し、そして圧縮解除された放送データを放送信号に変換てデジタルＴＶ４００に伝送する。
【００７２】
ここで、異常検知部２２０は、受信される前記サービスデータや制限データの受信報告信号に基づいてデータの受信異常状態をモニタリングし、受信異常状態を検知したときは、その異常状態の種類に応じた異常状態別固有情報を含むアラームメッセージを生成し、ケーブルモデム２１０を通じてアラームメッセージを管理サーバー１１０に伝送する。
【００７３】
図３は、本発明の好ましい実施形態に従うセットトップボックスの詳細な内部ブロック図である。
【００７４】
図３を参照すると、データ処理部２４０は、チューナー部２４１と、復調(DEMODULATOR)部２４２と、多重分割(DEMUX)部２４３と、ＭＰＥＧデコーダー部２４４と、ディスプレー操作部であるＤＲＭ(Display Refresh Module)部２４５と、エンコーダ部２４６と、を含む。
【００７５】
チューナー部２４１は、アナログ信号形態で受信される放送データ及び制限データをチューニングする。また、復調部２４２は、前記チューニングされたアナログ信号形態の放送データ及び制限データをデジタル信号形態に変換する。
【００７６】
さらに、復調部２４２は、デジタル形態の制限データ、即ち、キー情報及びプログラム別視聴権限情報を受信制限処理部２５０に伝送する。
【００７７】
そして、多重分割部２４３は、デジタル信号形態に変換された放送データを逆符号化(reverse-coding)し、逆符号化された放送データをＭＰＥＧ方式の放送データに変換する。
【００７８】
このとき、多重分割部２４３で逆符号化された放送データの中で、ビデオデータはＭＰＥＧ２形態になり、オーディオデータはＭＰＥＧ１形態になる。
【００７９】
ここで、加入者がプログラムチャンネルを選択すると、受信制限処理部２５０は、プログラム別視聴権限情報に従って該当加入者が該当プログラムチャンネルについての視聴権限を有しているか否かを確認し、視聴権限を有していれば、キー情報に従って暗号化された放送データを復号化させる。
【００８０】
ＭＰＥＧデコーダー部２４４は、放送データをＭＰＥＧ方式に従って圧縮解除し、圧縮解除された放送データを放送信号に変換する。そして、ＤＲＭ２４５は、前記放送信号をデジタルＴＶ４００に表示できるように、再書き込み(refresh)する。
【００８１】
このとき、ＭＰＥＧデコーダー部２４４は、多重分割部２４３で逆符号化された放送データをＭＰＥＧ方式に従って圧縮解除しながら放送データの受信報告信号を異常検知部２２０に伝送する。
【００８２】
一例として、放送データの伝送速度が１秒当たり３０フレーム(３０フレーム／秒)であり、それら放送データが正しく受信される場合には、ＭＰＥＧデコーダー部２４４は、１秒当たり３０回の伝送速度で放送データの受信報告信号を異常検知部２２０に伝送する。
【００８３】
そして、エンコーダ部２４６は、再書込みされた放送信号をアナログ信号形態に変換し、変換された放送信号をデジタルＴＶ４００に伝送する。
【００８４】
一方、ケーブルモデム２１０は、ＣＭＴＳ３００を通じて受信されるＩＰパケット形態のサービスデータ及び制限データをケーブルデータに変換する。そして、プログラム情報及びイベント情報が含まれたサービスデータをサービス情報処理部２３０に伝送し、ＥＣＭ形態の制限データを受信制限処理部２５０に伝送する。
【００８５】
このとき、前記サービスデータが受信されると、サービス情報処理部２３０は、サービスデータの受信報告信号を異常検知部２２０に伝送する。また、ＥＣＭ形態の制限データが受信されると、受信制限処理部２５０は、ＥＣＭ制限データの受信報告信号を異常検知部２２０に伝送する。
【００８６】
また、加入者アプリケーション２６０は、加入者が所望のプログラムチャンネルを選択できるようにする。
【００８７】
即ち、加入者アプリケーション２６０は、加入者が直接又は不図示のリモートコントローラ（例えば、赤外線リモートコントローラ）を通じてプログラムチャンネルを選択できるようにするために、サービス情報処理部２３０に保存されたプログラム情報に従うチャンネル映像をデジタルＴＶ４００に表示するためのグラフィックデータをＤＲＭ２４５に伝送する。そして、ＤＲＭ２４５は、デジタルＴＶ４００の表示領域の一つの領域を通じて、加入者が選択するためのプログラム情報が表示されるようにグラフィックデータを再書込みする。
【００８８】
異常検知部２２０は、後述するＥＣＭスニファー部２４７又は復調部２４２（ＥＣＭスニファー部２４７を含む場合）、サービス情報処理部２３０及びＭＰＥＧデコーダー部２４４から伝送される各受信報告信号に従ってデータの受信異常状態を検知し、受信異常状態を検知した場合には、受信異常状態の種類に応じた異常状態別固有情報を含むアラームメッセージを生成する。そして、異常検知部２２０は、ケーブルモデム２１０を通じてアラームメッセージを管理サーバー１１０に伝送する。
【００８９】
図４は、本発明の好ましい実施形態に従う異常検知部２２０の内部ブロック図である。
【００９０】
図４を参照すると、異常検知部２２０は、検知情報設定部２２１と、網検知部２２２と、データ受信検知部２２３と、検知制御部２２４と、メッセージ伝送部２２５と、を含む。
【００９１】
検知情報設定部２２１は、デジタル放送システムのシステム管理者による設定に従ってケーブル網、放送チャンネル及び、ヘッドエンド１００内の各サーバー１２０、１３０、１４０の各々で発生する異常状態に対応付けたコード情報及び該当セットトップボックス２００の固有情報を設定する。
【００９２】
ここで、図５は、本発明の好ましい実施形態に従って検知情報を設定する手順を説明するための図である。
【００９３】
図５に示されるように、検知情報設定部２２１は、アラーム機能を有効にするか否か、より具体的には、システム管理者の設定によってケーブル網、放送チャンネル及びヘッドエンド１００の異常状態の検知を行なうか否かを設定し（メニューａ）、異常状態の種類に応じて生成されるアラームメッセージを伝送する管理サーバー１１０のアドレス情報及びシステム管理者の電話番号情報を設定する（メニューｂ）。この場合、管理サーバー１１０のアドレス情報は、ＩＰアドレス情報とすることができる。
【００９４】
そして、検知情報設定部２２１は、該当セットトップボックス２００が設置された地域の固有情報を設置し（メニューｃ）、さらに検知情報設定部２２１は、アラームメッセージを伝送する周期を設定する（メニューｄ）。
【００９５】
このとき、ヘッドエンド１００、ケーブル網又は放送チャンネルの異常状態を検知するためのセットトップボックス２００として、所定の領域内に設置された多数のセットトップボックス２００の中から一つのセットトップボックス２００を選択することが望ましい。即ち、共通のヘッドエンド１００からデータを受信する多数のセットトップボックス２００の中から一のセットトップボックス２００を選択し、このセットトップボックス２００を用いて異常状態を検知することが望ましい。これにより、共通のヘッドエンド１００から一斉にケーブル網又は放送チャンネルの異常状態のアラームメッセージが受信されて処理が複雑になるのを防止することができる。
【００９６】
また、検知情報設定部２２１は、ケーブルモデム２１０がデータを受信するのに使用するケーブル網の異常状態別固有情報として各種エラーコード情報を設定し（メニューｅ）、デジタル放送サーバー１４０から放送データが受信される放送チャンネルの異常状態別固有情報として各種エラーコード情報を設定する（メニューｆ）。
【００９７】
そして、検知情報設定部２２１は、ヘッドエンド１００の異常状態別固有情報として各種エラーコード情報を設定する（メニューｇ）。
【００９８】
即ち、検知情報設定部２２１は、デジタル放送サーバー１４０から伝送される放送データの異常状態に従うコード情報、サービス情報サーバー１２０から伝送されるサービスデータ(ＳＩ)の異常状態に従うコード情報及び、受信制限サーバー１３０から伝送される制限データ(ＣＡ)の異常状態に従うコード情報を設定する。
【００９９】
そして、網感知部２２２は、ＣＭＴＳ３００を通じて受信されるデータ又は放送チャンネルを通じて受信されるデータの異常状態を検知してアラームメッセージを生成する。
【０１００】
図６Ａは、本発明の好ましい実施形態に従う網検知部２２２の内部ブロック図である。
【０１０１】
図６Ａに示されるように、網検知部２２２は、ケーブル網検知部２２２ａ及びチャンネル検知部２２２ｂを含む。
【０１０２】
ケーブル網検知部２２２ａは、ケーブルモデム２１０を通じて受信されるアナログ信号形態のサービスデータ及び制限データの受信パワーレベルが所定範囲内にないか、又は受信品質値としてＳＮＲ(Signal to Noise Ratio)値が所定値を超過する場合、例えば所定値の以下である場合には、ケーブル網に異常が発生したと判断してケーブル網アラームメッセージを生成する。
【０１０３】
このとき、ケーブル網検知部２２２ａは、所定範囲として受信パワーレベルが＋１５〜−１５ｄｂｍｖの範囲内にない場合に、ケーブル網に異常が発生したと判断するのが望ましい。
【０１０４】
また、チャンネル検知部２２２ｂは、デジタル放送サーバー１４０から伝送されるアナログ信号形態の放送データの受信パワーレベルが所定範囲内にないか、又は受信品質値としてＳＮＲ値が所定値を超過する場合には、放送チャンネルに異常が発生したと判断してチャンネルアラームメッセージを生成する。
【０１０５】
一方、データ受信検知部２２３は、ヘッドエンド１００内のデジタル放送サーバー１４０、サービス情報サーバー１２０及び受信制限サーバー１３０から伝送される各データの受信状態に従ってアラームメッセージを生成する。
【０１０６】
図６Ｂは、本発明の好ましい実施形態に従うデータ受信検知部２２３の内部ブロック図である。
【０１０７】
図６Ｂに示されるように、データ受信検知部２２３は、放送データ検知部２２３ａと、サービスデータ検知部２２３ｂと、制限データ検知部２２３ｃと、を含む。
【０１０８】
放送データ検知部２２３ａは、ＭＰＥＧデコーダー部２４４から伝送される放送データの受信報告信号に従って放送データの受信状態をモニタリングする。そして、異常状態が検知された場合には、放送データ検知部２２３ａは、放送データアラームメッセージを生成する。
【０１０９】
図７は、本発明の好ましい実施形態に従い放送データ検知部が放送データの受信状態を検知する手順を説明するための図である。
【０１１０】
図７に示されるように、復調部２４２は、受信されるアナログ信号形態の放送データをデジタル信号形態に変換してＭＰＥＧデコーダー部２４４に伝送する。ＭＰＥＧデコーダー部２４４は、変換された前記放送データをＭＰＥＧ方式に従って圧縮解除しながら放送データの受信報告信号(report_decode_complete)を異常検知部２２０内の放送データ検知部２２３ａに伝送する。
【０１１１】
そして、放送データ検知部２２３ａは、ＭＰＥＧデコーダー部２４４から伝送される放送データの受信報告信号が１秒当たり３０回受信されるか否かを確認する。例えば、１秒当たり３０回未満で放送データの受信報告信号が受信される場合には、放送データ検知部２２３ａは、放送データを伝送するデジタル放送サーバー１４０に異常が発生したと判断して放送データアラームメッセージを生成する。即ち、放送データ検知部２２３ａは、ＭＰＥＧデコーダー部２４４は、放送データアラーム信号が所定時間内に所定回数受信されない場合に、放送データアラームメッセージを生成する。
【０１１２】
一方、サービスデータ検知部２２３ｂは、サービス情報処理部２３０から受信されるサービスデータの受信報告信号に従ってサービスデータの受信状態をモニタリングする。そして、異常が検知された場合には、サービスデータ検知部２２３ｂは、サービスデータアラームメッセージを生成する。
【０１１３】
図８は、本発明の好ましい実施形態に従ってサービスデータ検知部がサービスデータの受信状態を検知する手順を説明するための図である。
【０１１４】
図８に示されるように、サービス情報サーバー１２０は、サービスデータをケーブルモデム２１０を通じてデータ処理部２４０に伝送する。
【０１１５】
そして、データ処理部２４０は、ケーブルモデム２１０を通じて受信されるサービスデータをサービス情報処理部２３０に伝送する。前記データ処理部２４０からのサービスデータが受信されると、サービス情報処理部２３０のサービス情報受信部２３１は、受信したサービスデータをデータベース２３２に保存しながらサービスデータの受信報告信号(report_stt_receive)を異常検知部２２０のサービスデータ検知部２２３ｂに伝送する。
【０１１６】
サービス情報サーバー１２０が伝送するサービスデータの伝送周期について説明すると、表１に示す周期が一例として挙げられる。
【０１１７】
【表１】
2006054873.tif 000003
【０１１８】
前記表１から分かるように、サービス情報サーバー１２０は、ＳＴＴ(System Time Table)データは１ｍｉｎの周期で伝送し、ＭＧＴ(Master Guide Table)データは５００ｍｓｅｃの周期で伝送し、Ｓ−ＶＣＴ(Short-Virture Table)データは２ｍｉｎの周期で伝送し、Ｌ−ＶＣＴ(Long-Virture Table)データは２ｍｉｎ、ＲＲＴ(Routing Region Table)データは１ｍｉｎの周期で伝送する。
【０１１９】
したがって、サービスデータ検知部２２３ｂは、サービスデータの受信報告信号が所定の周期で受信されるか否かに従ってサービス情報サーバー１２０の異常の有無を判断する。
【０１２０】
一例として、サービス情報サーバー１２０が１分周期で伝送するＳＴＴデータを用いる場合、サービス情報処理部２３０は、ＳＴＴデータを受信すると、サービスデータの受信報告信号(report_stt_receivce)をサービスデータ検知部２２３ｂに伝送する。
【０１２１】
そして、サービスデータ検知部２２３ｂは、サービス情報処理部２３０から１分周期でサービスデータの受信報告信号が受信されるか否かを確認し、サービスデータの受信報告信号が前記周期で受信されないときには、サービスデータアラームメッセージを生成する。
【０１２２】
また、制限データ検知部２２３ｃは、サービス情報処理部２３０から伝送されるＥＭＭ制限データの受信報告信号又は、復調部２４２から伝送されるＥＣＭ制限データの受信報告信号に従って制限データの受信状態をモニタリングする。そして、異常状態が検知されたときには、制限データ検知部２２３ｃは、制限データアラームメッセージを生成する。
【０１２３】
図９は、本発明の好ましい実施形態に従って制限データ検知部が制限データの受信状態を検知する手順を説明するための図である。
【０１２４】
図９に示されるように、受信制限サーバー１３０は、ＥＭＭ形態の制限データをケーブルモデム２１０を通じてセットトップボックス２００内の受信制限処理部２５０に伝送するか、又はＥＣＭ形態の制限データをケーブルモデム２１０を通じて受信制限処理部２５０に伝送する。
【０１２５】
まず、受信制限サーバー１３０がＥＭＭ形態の制限データをケーブルモデム２１０を通じて伝送する場合、サービス情報処理部２３０は、受信される制限データを受信制限処理部２５０に伝送しながらＥＭＭ制限データの受信報告信号(report_EMM_receive)を制限データ検知部２２３ｃに伝送する。
【０１２６】
そして、制限データ検知部２２３ｃは、ＥＭＭ制限データの受信報告信号の受信状態に従ってＥＭＭ制限データアラームメッセージを生成する。即ち、制限データ検知部２２３ｃは、所定時間を周期にＥＭＭ制限データの受信報告信号が受信されない場合には、受信制限サーバー１３０から伝送されるＥＭＭ制限データの伝送状態に異常が発生したと判断してＥＭＭ制限データアラームメッセージを生成する。
【０１２７】
一方、受信制限サーバー１３０がＥＣＭ形態で制限データを伝送する場合には、データ処理部２４０の復調部２４２は、受信制限サーバー１３０から受信される制限データを受信制限処理部２５０に伝送する。
【０１２８】
そして、ＥＣＭスニファー部２４７は、復調部２４２から受信制限処理部２５０に伝送される前記制限データを探知して、ＥＣＭ制限データの受信報告信号(report_ECM_receive)を制限データ検知部２２３ｃに伝送する。
【０１２９】
この場合、ＥＣＭスニファー部２４７は、復調部２４２内にソフトウェアモジュールで具現するか、別のモジュールで具現することができる。
【０１３０】
そして、制限データ検知部２２３ｃは、ＥＣＭ制限データの受信報告信号が所定の周期で受信されるか否かを確認し、所定の周期で受信されない場合には、ＥＣＭ形態で受信される制限データの伝送状態に異常が発生したと判断してＥＣＭ制限データアラームメッセージを生成する。
【０１３１】
網検知部２２２及びデータ受信検知部２２３が生成するアラームメッセージに含まれる情報について説明すると、表２の情報が一例として挙げられる。
【０１３２】
【表２】
2006054873.tif 000004
【０１３３】
前記表２から分かるように、網検知部２２２及びデータ受信検知部２２３は、検知情報設定部２２１で設定した異常状態別固有情報としての異常状態種類別コード情報が含まれるアラームメッセージを生成することができる。
【０１３４】
即ち、網検知部２２２及びデータ受信検知部２２３は、管理者が検知情報設定部２２１を通じて設定した異常状態種類別コード情報と、該当セットトップボックス２００の固有情報とによってアラームメッセージを生成し、ＩＰネットワークを通じて管理サーバー１１０にアラームメッセージを伝送することができる。
【０１３５】
前記表２は、例えばケーブル網が切られた場合など、ケーブル網検知部２２２ａがケーブル網を通じてデータを受信することができないときに生成するケーブル網アラームメッセージの一例である。即ち、この例におけるアラームメッセージは、伝送プロトコルにＵＤＰ(User Datagram Protocol)を用い、伝送ポートに‘４９４９'ポートを用いている。
【０１３６】
さらに、ケーブル網アラームメッセージを伝送するセットトップボックス２００の固有情報として、当該セットトップボックス２００のモデル（型式）は‘ＳＭＴ−２０００Ｃ'であり、シリアルナンバーは‘４６２３９１ＢＮ３００５３'であり、異常感知部２２０に搭載されたソフトウェアバージョンが‘１.７.０'であることを示している。
【０１３７】
またさらに、該当セットトップボックス２００が設置された地域のコード情報が‘２５６３'であり、発生した異常状態についてのエラーコード情報は、ケーブル網を通じて受信されない異常状態が発生したことを示すコード（‘０１'）を示している。さらに加えて、ケーブル網アラームメッセージを伝送する時間に関する情報を示している。
【０１３８】
なお、エラーサブコード情報として、発生した異常状態の種類に関する付加情報と設定することができる。その一例として、ケーブル網又は放送チャンネルを通じてデータが受信されない場合、エラーサブコード情報は、現在受信されているデータの周波数情報とすることができる。また、受信パワーレベルが所定の範囲内に含まれない場合、エラーサブコード情報は、現在の受信パワーレベルの情報とすることができる。
【０１３９】
また、ケーブル網又は放送チャンネルを通じて受信されるデータのＳＮＲ値が所定値を超過する場合、エラーサブコード情報は、現在のＳＮＲ値の情報とすることができる。また、放送データが受信されない場合、エラーサブコード情報は、該当プログラムの情報とすることができる。
【０１４０】
ここで、検知制御部２２４は、網検知部２２２又はデータ受信検知部２２３の各検知部２２３ａ、２２３ｂ、２２３ｃから異常状態を検知するように制御する機能を有している。
【０１４１】
即ち、検知制御部２２４は、網検知部２２２でケーブル網又は放送チャンネルの異常状態を優先的に検知するように制御する。その一例として、検知制御部２２４は、網検知部２２２でアラームメッセージを生成しない場合には、データ受信検知部２２３で各データの受信状態を検知してアラームメッセージを生成するようにする。
【０１４２】
より詳しくは、検知制御部２２４は、ケーブル網検知部２２２ａ及び放送データ検知部２２３ａでケーブル網アラームメッセージ及びＥＭＭ制限データアラームメッセージを生成した後、所定時間の間にサービスデータ検知部２２３ｂ及び制限データ検知部２２３ｃでサービスデータアラームメッセージ又はＥＭＭ制限データアラームメッセージを生成することを防止するように制御する。
【０１４３】
このように、検知制御部２２４がケーブル網アラームメッセージを管理サーバー１１０に伝送した後、所定時間の間にサービスデータアラームメッセージ又はＥＭＭ制限データアラームメッセージが生成されるのを防止する理由は、ケーブル網に異常状態が発生した場合に、ケーブルモデム２１０を通じて受信されるサービスデータ及び制限データに異常が発生することは当然に起こり得るため、ケーブル網アラームメッセージを管理サーバー１１０に伝送した後、所定時間内にサービスデータアラームメッセージ又はＥＭＭ制限データアラームメッセージを伝送することは不要であるためである。即ち、異常の原因がケーブル網の異常であるにも関わらず、別の原因でサービスデータ及びＥＭＭ制限データの受信状態の異常も発生したと勘違いしてしまうことを防止し、これにより効果的な管理を実現することができる。
【０１４４】
これと同様に、検知制御部２２４は、チャンネル検知部２２２ｂがチャンネルアラームメッセージを管理サーバー１１０に伝送した後、所定時間の間に放送データ検知部２２３ａ及び制限データ検知部２２３ｃが放送データアラームメッセージ又はＥＣＭ制限データアラームメッセージを生成して管理サーバー１１０に伝送することを防止する。
【０１４５】
また、検知制御部２２４は、例えばケーブルモデム２１０を通じてアラームメッセージが管理サーバー１１０にアップロードされない場合など、メッセージ伝送部２２５を通じてアラームメッセージを管理サーバー１１０に伝送されない場合には、検知情報設定部２２１で設定された電話番号情報と、異常状態別コード情報に相当する異常状態発生情報とが含まれたグラフィックデータを加入者アプリケーション２６０に伝送する。
【０１４６】
そして、加入者アプリケーション２６０は、受信されたグラフィックデータをＤＲＭ２４５に伝送する。ＤＲＭ２４５は、受信したグラフィックデータに従う電話番号情報及び異常状態発生情報がデジタルＴＶ４００に表示されるように再書込みする。
【０１４７】
図１０は、本発明の好ましい実施形態に従うデジタル放送システムの状態管理方法を説明するためのフローチャートである。
【０１４８】
図１０を参照すると、デジタル放送システムの管理者は、異常状態種類別コード情報、管理サーバー１１０の固有情報、該当セットトップボックス２００の固有情報などを含む検知情報を、検知情報設定部２２１を通じてセットトップボックス２００に設定する(ステップＳ１００)。
【０１４９】
異常状態別コード情報は、ケーブル網、放送チャンネル、ヘッドエンド１００内の各サーバー１１０、１２０、１３０に発生する異常状態の種類に従う固有情報を含んでいる。また、管理サーバー１１０の固有情報には、ヘッドエンド１００に含まれる管理サーバー１１０のＩＰアドレス情報及び、管理サーバー１１０を通じてデジタル放送システムを管理する管理者の電話番号情報を含めることができる。
【０１５０】
そして、セットトップボックス２００の固有情報には、該当セットトップボックス２００が設置された地域のコード情報及び、該当セットトップボックス２００がアラームメッセージを伝送する周期時間情報などを含めることができる。
【０１５１】
セットトップボックス２００の異常検知部２２０は、管理者により検知情報が設定されると、詳しくは既述のようにしてケーブル網又は放送チャンネルの異常状態を検知する。そして、異常状態を検知すると、ケーブル網アラームメッセージ又はチャンネルアラームメッセージを生成する(ステップＳ１１０)。
【０１５２】
一例として、セットトップボックス２００の網検知部２２２は、ケーブル網を通じてアナログ信号形態で受信されるサービスデータ及び制限データの受信パワーレベルが所定範囲内に含まれないか、又はＳＮＲ値が所定値を超過する場合に、ケーブル網アラームメッセージを生成する。
【０１５３】
そして、網検知部２２２は、放送チャンネルを通じてアナログ信号形態で受信される放送データ及び制限データの受信パワーレベルが所定範囲内に含まれないか、又はＳＮＲ値が所定値を超過する場合に、チャンネルアラームメッセージを生成する。
【０１５４】
このとき、網検知部２２２は、所定範囲として受信されるアナログ信号の受信レベルが＋１５〜−１５ｄｂｍｖの範囲内に含まれないときに、ケーブル網アラームメッセージ又はチャンネルアラームメッセージを生成するように設定することができる。
【０１５５】
そして、検知制御部２２４は、異常検知部２２０でケーブル網アラームメッセージが生成されたか否かを確認する(ステップＳ１２０)。
【０１５６】
検知制御部２２４は、ケーブル網アラームメッセージが生成された場合には、そのメッセージが生成されてから所定時間の間にサービスデータアラームメッセージ及びＥＭＭ制限データアラームメッセージが生成されることを防止する(ステップＳ１３０)。
【０１５７】
また、検知制御部２２４は、チャンネルアラームメッセージが生成されたか否かを確認し(ステップＳ１４０)、チャンネルアラームメッセージが生成された場合には、そのメッセージが生成されてから所定時間の間に放送データアラームメッセージ及びＥＣＭ制限データアラームメッセージが生成されることを防止する(ステップＳ１５０)。
【０１５８】
このとき、検知制御部２２４は、ケーブル網アラームメッセージ又はチャンネルアラームメッセージが生成されてから所定時間の間に各アラームメッセージが生成されないようにする時間の設定値は、ケーブル網又は放送チャンネルに発生した異常状態が解消されるのに必要な時間（例えば、経験値に基づく時間）に設定することが望ましい。
【０１５９】
そして、セットトップボックス２００は、ケーブル網アラームメッセージ及びチャンネルアラームメッセージが生成されていない場合に、ヘッドエンド１００内の各サーバー１２０、１３０、１４０から伝送される各データが正常に受信されているか否かを確認し、データ受信の異常状態を検知するとデータアラームメッセージを生成する(ステップＳ１６０)。
【０１６０】
異常検知部２２０は、生成されたアラームメッセージをケーブルモデム２１０を通じて管理サーバー１１０に伝送し(ステップＳ１７０)、アラームメッセージがケーブルモデム２１０を通じてヘッドエンド１００内の管理サーバー１１０に伝送されたか否かを確認する(ステップＳ１８０)。
【０１６１】
前記ステップＳ１８０における確認の結果、ケーブルモデム２１０又はケーブル網に異常状態が発生したことによるアラームメッセージが管理サーバー１１０に伝送されない場合には、異常検知部２２０は、設定されたシステム管理者の電話番号情報及びアラームメッセージによる異常状態発生情報が含まれたグラフィックデータを加入者アプリケーション２６０に伝送し、加入者アプリケーション２６０は、ＤＲＭ２４５を通じてグラフィックデータをデジタルＴＶに表示して、加入者がデジタル放送サービスに障害が発生したことを認知してシステム管理者に障害が発生したことを報告することができるようにする(ステップＳ１９０)。
【０１６２】
一方、前記ステップＳ１８０における確認の結果、ケーブルモデム２１０又はケーブル網に異常状態が発生したことによるアラームメッセージが管理サーバー１１０に伝送される場合には、管理サーバー１１０は、異常検知部２２０から受信されるアラームメッセージに含まれる異常状態種類別コード情報に従って異常状態の種類を把握して、該当サーバーに警告信号を伝送するか、あるいはシステム管理者が異常状態を認知するように警報信号を出力する(ステップＳ２００)。
【０１６３】
図１１Ａは、本発明の好ましい実施形態に従って放送データアラームメッセージを生成する流れを示すフローチャートである。
【０１６４】
図１１Ａを参照すると、セットトップボックス２００のチューナー部２４１は、加入者が選択したプログラム情報に従う放送チャンネルを通じてアナログ信号形態の放送データをチューニングする(ステップＳ１６１ａ)。
【０１６５】
そして、復調部２４２は、アナログ信号形態の放送データをデジタル信号形態の放送データに変換する。さらに、多重分割部２４３は、デジタル信号形態に変換された放送データを逆符号化する。
【０１６６】
ＭＰＥＧデコーダー部２４４は、放送データをＭＰＥＧ方式に従って圧縮解除しながら放送データの受信報告信号を異常検知部２２０に伝送する(ステップＳ１６１ｂ)。
【０１６７】
そして、異常検知部２２０は、ＭＰＥＧデコーダー部２４４から受信される放送データの受信報告信号が正常に受信されているか否かを確認する(ステップＳ１６１ｃ)。
【０１６８】
一例として、デジタル放送サーバー１４０が１秒当たり３０フレームの放送データを伝送する場合には、異常検知部２２０は、ＭＰＥＧデコーダー部２４４から放送データ報告信号が１秒当たり３０回受信されるか否かを確認する。
【０１６９】
異常検知部２２０は、放送データ報告信号が１秒当たり３０回受信されないときには、デジタル放送サーバー１４０に異常状態が発生したと判断して、放送データアラームメッセージを生成する(ステップＳ１６１ｄ)。
【０１７０】
図１１Ｂは、本発明の好ましい実施形態に従ってサービスデータアラームメッセージを生成する流れを示すフローチャートである。
【０１７１】
図１１Ｂを参照すると、サービス情報サーバー１２０は、ヘッドエンド１００から提供するプログラム情報及びイベント情報が含まれるサービスデータを、ＩＰネットワークを通じてＣＭＴＳ３００に伝送する。そして、ＣＭＴＳ３００は、ＩＰパケット形態のサービスデータをケーブルデータに変換し、変換されたケーブルデータをセットトップボックス２００に伝送する(ステップＳ１６２ａ)。
【０１７２】
セットトップボックス２００のケーブルモデム２１０は、ＣＭＴＳ３００から受信されるサービスデータをサービス情報処理部２３０に伝送する(ステップＳ１６２ｂ)。
【０１７３】
サービス情報処理部２３０は、ケーブルモデム２１０から受信されるサービスデータに含まれるプログラム情報及びイベント情報などをデータベース２３２に保存しながらサービスデータの受信報告信号を異常検知部２２０に伝送する(ステップＳ１６２ｃ)。
【０１７４】
異常検知部２２０は、サービス情報処理部２３０から伝送されるサービスデータ報告信号が予め設定された所定の周期で受信されているか否かを確認する(ステップＳ１６２ｄ)。
【０１７５】
一例として、サービス情報サーバー１２０が１分周期で伝送するＳＴＴを用いる場合には、異常検知部２２０は、サービスデータの受信報告信号が１分周期で受信されているか否かを確認し、受信報告信号が前記周期で受信されないときには、サービス情報サーバー１２０に異常状態が発生したと判断してサービスデータアラームメッセージを生成する(ステップＳ１６２ｅ)。
【０１７６】
図１１Ｃは、本発明の好ましい実施形態に従って制限データアラームメッセージを生成する流れを示すフローチャートである。
【０１７７】
図１１Ｃを参照すると、ヘッドエンド１００の受信制限サーバー１３０は、ＥＭＭ形態で制限データをケーブルモデム２１０に伝送するか、又はＥＣＭ形態で制限データをセットトップボックス２００に伝送する(ステップＳ１６３ａ)。
【０１７８】
ケーブルモデム２１０は、受信制限サーバー１３０からＥＭＭ形態で受信される制限データをサービス情報処理部２３０に伝送する。さらに、サービス情報処理部２３０は、ケーブルモデム２１０から受信した制限データを受信制限処理部２５０に伝送しながらＥＭＭ制限データの受信報告信号を異常検知部２２０に伝送する(ステップＳ１６３ｂ)。
【０１７９】
異常検知部２２０は、サービス情報処理部２３０からＥＭＭ制限データの受信報告信号が予め設定された所定時間を周期に受信されているか否かを確認し(ステップＳ１６３ｃ)、受信報告信号が前記所定時間を周期に受信されないときには、ＥＭＭ制限データアラームメッセージを生成する(Ｓ１６３ｄ)。
【０１８０】
一方、データ処理部２４０の復調部２４２は、ＥＣＭ形態で受信される制限データを受信制限処理部２５０装置に伝送する。ＥＣＭスニファー部２４７は、復調部２４２から受信制限処理部２５０に伝送される前記制限データを探知して、ＥＣＭ 制限データの受信報告信号を異常検知部２２０に伝送する(ステップＳ１６３ｅ)。
【０１８１】
そして、異常検知部２２０は、ＥＣＭスニファー部２４７からＥＣＭ制限データの受信報告信号が予め設定された所定時間を周期に受信されているか否かを確認し(ステップＳ１６３ｆ)、受信報告信号が前記所定時間を周期に受信されないときには、ＥＣＭ制限データアラームメッセージを生成する(ステップＳ１６３ｇ)。
【０１８２】
このとき、異常検知部２２０で生成するアラームメッセージには、異常状態種類別コード情報、管理サーバー１１０の固有情報、セットトップボックス２００の固有情報などが含まれる。
【０１８３】
以上、本発明の好適な実施の形態について添付の図面を参照して詳細に説明したが、以上の説明及び添付図面における多くの特定詳細は本発明のより全般的理解のために提供されるだけ、これら特定事項が本発明の範囲内で所定の変形や変更が可能であることは、当該技術分野で通常の知識を有する者には自明なことであろう。
【図面の簡単な説明】
【０１８４】
【図１】一般的なデジタル放送システムのネットワーク連結を説明するための全体ブロック図である。
【図２】本発明の好ましい実施形態によるデジタル放送システムを説明するための全体ブロック図である。
【図３】本発明の好ましい実施形態に従うセットトップボックスの内部ブロック図である。
【図４】本発明の好ましい実施形態に従う異常検知部の内部ブロック図である。
【図５】本発明の好ましい実施形態に従って検知情報を設定する手順を説明するための図である。
【図６Ａ】本発明の好ましい実施形態に従う網検知部の内部ブロック図である。
【図６Ｂ】本発明の好ましい実施形態に従うデータ受信検知部の内部ブロック図である。
【図７】本発明の好ましい実施形態に従って放送データ検知部が放送データの受信状態を検知することを説明するための図である。
【図８】本発明の好ましい実施形態に従ってサービスデータ検知部がサービスデータの受信状態を検知することを説明するための図である。
【図９】本発明の好ましい実施形態に従って制限データ検知部が制限データの受信状態を検知することを説明するための図である。
【図１０】本発明の好ましい実施形態に従うデジタル放送システムの状態管理方法を説明するためのフローチャートである。
【図１１Ａ】本発明の好ましい実施形態に従って放送データアラームメッセージを生成する流れを説明するフローチャートである。
【図１１Ｂ】本発明の好ましい実施形態に従ってサービスデータアラームメッセージを生成する流れを説明するフローチャートである。
【図１１Ｃ】本発明の好ましい実施形態に従って制限データアラームメッセージを生成する流れを説明するフローチャートである。
【符号の説明】
【０１８５】
１００  ヘッドエンド
１１０  管理サーバー
１２０  サービス情報サーバー
１３０  受信制限サーバー
１４０  デジタル放送サーバー
２００  セットトップボックス
２１０  ケーブルモデム
２２０  異常検知部
２２１  検知情報設定部
２２２  網検知部
２２２ａ  ケーブル網検知部
２２２ｂ  チャンネル検知部
２２３  データ受信検知部
２２３ａ  放送データ検知部
２２３ｂ  サービスデータ検知部
２２３ｃ  制限データ検知部
２２４  検知制御部
２２５  メッセージ伝送部
２３０  サービス情報処理部
２３１  サービス情報受信部
２３２  データベース
２４０  データ処理部
２４１  チューナー部
２４２  復調部
２４３  多重分割部
２４４  ＭＰＥＧデコーダー部
２４５  ＤＲＭ
２４６  エンコーダ部
２５０  受信制限処理部
【図１】
2006054873.tif 000005
【図２】
2006054873.tif 000006
【図３】
2006054873.tif 000007
【図４】
2006054873.tif 000008
【図５】
2006054873.tif 000009
【図６Ａ】
2006054873.tif 000010
【図６Ｂ】
2006054873.tif 000011
【図７】
2006054873.tif 000012
【図８】
2006054873.tif 000013
【図９】
2006054873.tif 000014
【図１０】
2006054873.tif 000015
【図１１Ａ】
2006054873.tif 000016
【図１１Ｂ】
2006054873.tif 000017
【図１１Ｃ】
2006054873.tif 000018